(57)【要約】【課題】  自浄性に優れ、槽部内から綺麗に清掃でき、抵抗無く槽部下排水管へと屋内配管用清掃具（高圧洗浄ノズル、ワイヤー式排水管清掃機器等）を挿し入れることができるトラップを提供する。【解決手段】  排水を、流入口部２２ａから流水空間Ｓに流れ込んだ後、方向を変えて逆側の盲蓋部２２ｂ側へと流動して排水案内筒部４を上昇し、トラップ本体１内を浄化しながらウェアを経て封水筒２直下の槽部下排水管Ｐへと排出する。封水筒２を槽部内から抜き取ることによって筒状のトラップ本体１内面を槽部内空間に臨ませる。流入口部２２ａと盲蓋部２２ｂとを有する蓋板部２２中央部の開閉可能な通路３から屋内配管用清掃具１０を真っ直ぐ何の抵抗もなく槽部下排水管に挿し入れる。【選択図】  図１
2006307543.tif 000002
【特許請求の範囲】
【請求項１】
槽部底部に連結部で吊持状に設けられ底部下側に槽部下排水管への接続部を設けた筒状のトラップ本体と、そのトラップ本体に槽部内から抜き差し可能に設けられる封水筒とを備え、該封水筒はトラップ本体内周面との間に流水空間を確保してトラップ本体の底部にその下端が前記槽部下排水管と連通するように水密状に差し込まれる封水筒本体と、該封水筒本体にその封水筒本体の上端開放部を閉口して前記流水空間を上方空間と隔絶するように設けられる蓋板部とを備え、該蓋板部は流水空間に面して開口した同流水空間への流入口部とそれに連続する盲蓋部とを備え、該盲蓋部から下端を開放する排水案内筒部を流水空間中途高さをもって垂設し、その排水案内筒部内と臨んで封水筒本体に孔縁下縁をウェアとする排水口を開口して、前記流入口部から流入する排水を流水空間内で盲蓋部側に回り込ませ排水案内筒部内を上昇させて排水口から封水筒本体内へと排出することを特徴とするトラップ。
【請求項２】
前記トラップ本体の底部を内部への突部がない形状に形成し、該底部に封水筒下端を前記槽部下排水管と連通するように水密状に差し込んでいることを特徴とする請求項１記載のトラップ。
【請求項３】
前記蓋板部のその流入口部を流水空間に臨むその一半部、盲蓋部を流水空間に臨む他半部に臨んで設け、その盲蓋部からその盲蓋部ほぼ全域の投影面積を横断面空間とする前記排水案内筒部を垂設していることを特徴とする請求項１または２記載のトラップ。
【請求項４】
前記蓋板部は、トラップ本体の上端近傍に配置され、且つその中央部に屋内配管用清掃具を出し入れ可能とする通路を封水筒本体内と連通して開閉可能に設けたことを特徴とする請求項１〜３いずれか１項記載のトラップ。
【請求項５】
前記通路は、開閉式の蓋を具備し、該蓋に屋内配管用清掃具を出し入れする表示を施していることを特徴とする請求項４記載のトラップ。
【請求項６】
前記トラップ本体、封水筒において槽部から目視される部分をステンレス板でコートしていることを特徴とする請求項１〜５いずれか１項記載のトラップ。
【請求項７】
前記トラップ本体の槽部底部への連結部は、トラップ本体に設けられ槽部底部にパッキンを介して掛止する掛止鍔と、トラップ本体の外周面同一円周上に等間隔をおいて突設した凸部と、トラップ本体外周面に回転可能に遊嵌され前記凸部を通過させる凸部通し孔を開孔すると共にその凸部通し孔孔縁下縁に連続して下面に階段状の段階をもって下方向へ位置変化する複数段の載承面を有するストッパーリングと、該トラップ本体外周面に遊嵌されストッパーリングの上位に配置する締付リングと、その締付リングに各凸部に対応して設けられた締付リング押上げ部とを備え、該締付リング押上げ部は、ストッパーリング上面に接触する上下方向回動式の操作レバーを備えた回転体を締付リングに設けた軸受で受けられる横軸に一体または別体に偏心させて垂直方向に回転可能に備えてなり、前記ストッパーリングの回転による凸部上面に載置される載承面の選定によるストッパーリングの高さ位置の変化と該操作レバー操作による回転体の垂直方向の回転とで締付リングの槽部底部下面への圧接力を可変させることを特徴とする請求項１〜６いずれか１項記載のトラップ。
【請求項８】
前記槽部がシンクであることを特徴とする請求項１〜７いずれか１項記載のトラップ。
【発明の詳細な説明】
【技術分野】
【０００１】
本発明はトラップ、更に詳しくは特にシンクや、洗面台等キャビネットを有する排水機器に配設されたトラップに関するものである。
【背景技術】
【０００２】
従来、この種のトラップは、碗トラップや、管トラップ（例えばＳトラップ）（例えば特許文献１）が主に使用されている。
碗トラップは周知の通り、筒状のトラップ本体に槽部下排水管上端を突出させた状態で連結し、その槽部下排水管の上端開放部を覆うように碗状の封水体を設けて構成される。
一方、特許文献１は、槽部底部の排水凹部に下向き傾斜状に連結したトラップ上流管に入口を連通させてトラップ本体を設け、前記排水凹部にキャップ部材で開閉可能とするバイパス路を前記トラップ上流管と同芯にして延長状に設け、その傾斜状のバイパス路にトラップ本体の出口を連通させ、トラップ本体下端に槽部下排水管を連結している。
【０００３】
特許文献１は、管トラップであるので自浄性に優れた良点を有するものの、清掃に際して、キャビネットの引き出しや収容物を取除いた後、キャビネットの収容空間内からトラップを取り外してでないと清掃できず、清掃性が非常に悪い問題がある。
また、２０００年４月１日より施法された「住宅の品質確保の促進等に関する法律」により排水配管全長を洗浄することが推奨されるようになっている。階上の部屋で排水性が低下すると階下の部屋は溜水し、シンク等が水浸しになる。マンションや集合住宅ではその傾向が高いため、特に排水配管全長の洗浄を率先している自治体さえある。
特許文献１は、高圧洗浄ノズルを、キャップ部材を外した後、傾斜状のバイパス路からトラップ鉛直状の槽部下排水管を経て屋内配管に挿入して、噴出する高圧洗浄水で管内面に付着する汚物を洗い落とすようになっている。
しかし、特許文献１は高圧洗浄ノズルの挿し入れ始端が、下向き傾斜状のバイパス路に対してトラップ本体が連結されてくの字状の屈曲路を形作るので、ノズル挿し入れ時にノズルがその屈曲路に沿うように変形して大きな摩擦抵抗を生み出し、高圧洗浄ノズルの屋内配管への挿し通し作業を重労働にする要因になっている。
また、配管が詰まった時等に先端の掻き揚げ部を回転させながら配管に付着する堆積物を掻き出すワイヤー式排水管清掃機器を挿し入れる際にも、そのワイヤーが前記屈曲路との間で大きな摩擦抵抗を生み出し、同様な問題点を惹き起してしまう。
他方、碗トラップは、封水体を槽部内から外すことによって、槽部下排水管の上方開放部が露出するので、そこから高圧洗浄ノズルを挿し入れることが可能であるが、自浄性に劣り、その上、碗状の封水体は外せるものの、トラップ本体内に突出する槽部下排水管とトラップ本体との間のリング状の凹窪部に付着する付着物の清掃が困難を極める問題がある。
【特許文献１】特開２００４−２７０２９０号公報
【発明の開示】
【発明が解決しようとする課題】
【０００４】
本発明は上記従来事情に鑑みてなされたもので、その目的とする処は、自浄性に優れ、しかも槽部内から綺麗に清掃できるトラップを提供することにある。
他の目的とする処は、抵抗無く槽部下排水管へと屋内配管用清掃具（高圧洗浄ノズル、ワイヤー式排水管清掃機器等）を挿し入れることができるトラップを提供することにある。
更に他の目的とする処は、槽部底厚やパッキンのへたりに応じた締付力で締め付けて槽部底部に連結できるトラップを提供することにある。
【課題を解決するための手段】
【０００５】
前記課題を解決するために講じた技術的手段は、槽部底部に連結部で吊持状に設けられ底部下側に槽部下排水管への接続部を設けた筒状のトラップ本体と、そのトラップ本体に槽部内から抜き差し可能に設けられる封水筒とを備え、該封水筒はトラップ本体内周面との間に流水空間を確保してトラップ本体の底部にその下端が前記槽部下排水管と連通するように水密状に差し込まれる封水筒本体と、該封水筒本体にその封水筒本体の上端開放部を閉口して前記流水空間を上方空間と隔絶するように設けられる蓋板部とを備え、該蓋板部は流水空間に面して開口した同流水空間への流入口部とそれに連続する盲蓋部とを備え、該盲蓋部から下端を開放する排水案内筒部を流水空間中途高さをもって垂設し、その排水案内筒部内と臨んで封水筒本体に孔縁下縁をウェアとする排水口を開口して、前記流入口部から流入する排水を流水空間内で盲蓋部側に回り込ませ排水案内筒部内を上昇させて排水口から封水筒本体内へと排出することを特徴とするトラップである（請求項１）。
このトラップは、槽部底部に直接設けたり、槽部底部に設けた排水凹部底に設けられる。
前記トラップ本体の底部を内部への突部がない形状に形成し、該底部に封水筒下端を前記槽部下排水管と連通するように水密状に差し込んでいると好適なものである（請求項２）。
そして、前記蓋板部のその流入口部を流水空間に臨むその一半部、盲蓋部を流水空間に臨む他半部に臨んで設け、その盲蓋部からその盲蓋部ほぼ全域の投影面積を横断面空間とする前記排水案内筒部を垂設していると好適なものである（請求項３）。
【０００６】
以上の手段によれば、蓋板部に設けられた流入口部から進入する排水を流水空間内で盲蓋部側に回り込ませ排水案内筒部内を上昇させてから排水口を介して封水筒本体内から直下の槽部下排水管へと排出する。
従って、排水を、流入口部から流水空間に流れ込んだ後、方向を変えて逆側の盲蓋部へと流動させ排水案内筒部内を上昇させて、トラップ本体内を浄化しながらウェアを経て封水筒直下の槽部下排水管へと排出する。
そして、封水筒を槽部内から抜き取ることによって筒状のトラップ本体内面を槽部内空間に臨ませる。
また、オープンになったトラップ本体から屋内配管用清掃具を真っ直ぐ抵抗なく槽部下排水管に挿し入れることも可能である。
その上、封水筒をトラップ本体から槽部内に抜き取って清掃できる上、内部に突部のないトラップ本体がオープンになり、そのトラップ本体の隅々を槽内から簡単に清掃できる。
【０００７】
そして、前記蓋板部は、トラップ本体の上端近傍に配置され、且つその中央部に屋内配管用清掃具を出し入れ可能とする通路を封水筒本体内と連通して開閉可能に設けられていると好適なものである（請求項４）。
【０００８】
以上の手段によれば、いちいち封水筒を抜き取ることなく槽部底部に近い位置で開放された通路から鉛直状をもって屋内配管用清掃具を槽部下排水管へと挿し入れる。
【０００９】
前記通路は、開閉式の蓋を具備し、該蓋に屋内配管用清掃具を出し入れする表示を施していると、専門業者でなくとも封水筒を外す誤解を招くことなく、蓋を開けて屋内配管用清掃具を挿し入れることができる（請求項５）。
【００１０】
そして、トラップ本体、封水筒において槽部から目視される部分をステンレス板でコートしていると、汚れ難くして、高級感を出す（請求項６）。
【００１１】
前記トラップ本体の槽部底部への連結部は、トラップ本体に設けられ槽部底部にパッキンを介して掛止する掛止鍔と、トラップ本体の外周面同一円周上に等間隔をおいて突設した凸部と、トラップ本体外周面に回転可能に遊嵌され前記凸部を通過させる凸部通し孔を開孔すると共にその凸部通し孔孔縁下縁に連続して下面に階段状の段階をもって下方向へ位置変化する複数段の載承面を有するストッパーリングと、該トラップ本体外周面に遊嵌されストッパーリングの上位に配置する締付リングと、その締付リングに各凸部に対応して設けられた締付リング押上げ部とを備え、該締付リング押上げ部は、ストッパーリング上面に接触する上下方向回動式の操作レバーを備えた回転体を締付リングに設けた軸受で受けられる横軸に一体または別体に偏心させて垂直方向に回転可能に備えてなり、前記ストッパーリングの回転による凸部上面に載置される載承面の選定によるストッパーリングの高さ位置の変化と該操作レバー操作による回転体の垂直方向の回転とで締付リングの槽部底部下面への圧接力を可変させるようにしていると最適なものである（請求項７）。
【００１２】
以上の手段にあってはストリッパーリングを回転させて階段状の段階をもって下方向への位置を変化する載承面をその一段目の載承面から最終段の載承面を順に凸部上面に載承させると、ストリッパーリングの上面は段階的に高さ方向にその位置を変化させる。従って、操作レバーを操作して周面がストッパーリング上面に接触する偏心回転体を回転させることによって、ストッパーリングのその段階的な高さ方向へのその変位量分宛締付リングの締付力を可変することができる。
【発明の効果】
【００１３】
本発明は以上のように構成したから下記の利点がある。
（請求項１、２）水垢等のゴミの付着を、排水による自浄作用を利用して防止する優れた自浄性を具備していながら、封水筒を槽部内から抜き取り分解して洗浄し、トラップ本体を筒状のまま槽部内空間に臨ませて槽部内空間から隅々まで楽に洗浄する洗浄性（清掃性）に優れたトラップを提供できる。
従って、碗トラップのようにトラップ本体内に突出する槽部下排水管とトラップ本体との間のリング状の凹窪部に付着する付着物の清掃に困難を極めたり、特許文献１の管トラップのようにキャビネットの引き出しや収容物を取除いた後、キャビネットの収容空間内からトラップを取り外してでないと清掃できない清掃性の悪さを一掃することができる。
（請求項４）しかも、流入口部と盲蓋部を有する蓋板部をトラップ本体の上端近傍に配置し、その中央部に屋内配管用清掃具の出し入れ通路を封水筒本体内に連通して開閉可能にしており、槽部底に近い位置から屈曲等変形させることなく難なく屋内配管用清掃具を、封水筒内を介して槽部下排水管へと挿入することができる。
（請求項５）その上、出し入れ通路の蓋に表示を施すと、専門の洗浄業者でなくとも、封水筒を外すような誤解を招かずに屋内配管用清掃具の挿し入れできる。
（請求項６）また、ステンレス板の難汚物付着性が汚れの付着を防止して清掃性を高め、高級感を惹起して、例えばシンク等の取り付け対象物の使用感を向上することができる。
（請求項７）トラップ本体の槽部底部への連結部の締付がトラップ本体に同一円周上に等間隔をおいて設けた凸部の上面に載承される載承面による段階的な高さ方向へのストッパーリングの変位量分宛締付リングの締付力が可変するようになるので、槽部底（例えばシンクの底）厚に応じた適切な締め付け力、パッキンのヘタリによる段階的な増し締めをトルク管理による締付に比して簡単に行える。
【発明を実施するための最良の形態】
【００１４】
次に本発明トラップの実施の形態を図１〜図６に基づいて説明すると、符号Ａはそのトラップである。
本実施の形態ではシンク（槽部）用のトラップを示している。
【００１５】
前記トラップＡは、トラップ本体１、封水筒２とを備えている。
【００１６】
前記トラップ本体１は、各図に示すように上端に掛止鍔１１を外向きに、また上端近傍に上側用載せ段部２１を内向きに各々一体に周設し、底部に槽部下排水管Ｐへの接続部３１に連通する開口４１を開設し、封水筒２下端を抜き差し可能に載承する下側用載せ段部５１をその開口４１内周面中途高さ部位に内向きに周設している。
また、前記トラップ本体１の底部は、この実施の形態では内部への突部がない形状とされ、その底部に開設した開口４１の中途部位に封水筒２下端を抜き差し可能に載承する前記下側用載せ段部５１を形成している。
【００１７】
また、このトラップ本体１は、その底部下面から前記接続部として前記開口と同芯をもって接続螺筒３１を垂設し、その接続螺筒３１に槽部下排水管Ｐの上端がナットＮを介して接続されるようになっている。
【００１８】
前記封水筒２は、封水筒本体１２と、蓋板部２２とからなっている。
【００１９】
前記封水筒本体１２は、下端を槽部下排水管Ｐと連通するように前記開口４１に水密状に抜き差しされてその下端を前記下側用載せ段部５１に載置してトラップ本体１の内周面との間に流水空間Ｓを確保するようにセットしてなり、該封水筒本体１２にはその上端開放部を閉口し且つ前記流水空間Ｓをその上方空間と隔絶する蓋板部２２を一体に設けている。
【００２０】
前記蓋板部２２は、その周縁が前記上側用載せ段部２１に載置され、その一半部に流水空間Ｓに面して開口した流入口部２２ａを備え、他半部を盲蓋部２２ｂとし、中央部に封水筒本体１２内と連通する開閉可能な通路３を開孔している。
【００２１】
前記流入口部２２ａは、図１に示すように中央部の前記通路３を除く蓋板部２２一半部のドーナツ板状エリアの前記通路３を中心とする同一円周上に複数個隣設して開口している。
【００２２】
前記盲蓋部３には、その裏面から排水案内筒部４が垂設されている。
【００２３】
前記排水案内筒部４は、前記封水筒本体１２の中途高さまで到達するように垂設されており、前記トラップ本体１の内周面に沿う弯曲壁４ａの両端から封水筒本体１２の外周面に連設する両側壁４ｂを折曲形成して、盲蓋部２２ｂほぼ全域の投影面積を横断面空間にしている。
【００２４】
そして、その排水案内筒部４内に臨む封水筒本体１２の上端域に、排水口５を開口している。
【００２５】
この排水口５は、前記排水案内筒部４の両側壁４ｂ、４ｂ近傍まで至る幅寸法をもって開口されている。
【００２６】
また、前記蓋板部２２中央部の開閉可能な通路３は、捩じ込み式の蓋１３で開閉可能にされている。
この蓋１３は蓋板部２２中央部の通路３上端開放部に凹設した大径凹部に嵌合する円板部１３ａの中央部に通路３内周面に螺刻した螺子に螺合する螺軸１３ｂを一体に備え、その円板部１３ａ表面中央にはマイナスドライバーや小銭を差し込み係止して回転させる差込溝６を凹設し、それに隣設して洗浄口７という表示を施している。
【００２７】
更に、前記封水筒本体１２の上端域は図示するように円錐台状に呈している。
これは、前記流入口部２２ａの流入口トータル面積を大きくして初期流入量を多く確保するためである。
【００２８】
前記封水筒本体１２下端近傍部位外周にはＯリング等のパッキンＯが嵌着され、前記トラップ本体１底部の下側用載せ段部５１に載置した際、前記開口４１内周面にそのパッキンＯが水密状に弾接するようになっている。
尚、封水筒本体１２下端は前記開口４１に数分の１回転や１〜数回転によるネジ込みで接続されるように構成しても良いものである。
前記封水筒２は、その蓋板部２２を数分の１回転や１〜数回転の回転させることによるネジ込み方式でトラップ本体１の内周面に接続されるように構成しても良いものである。封水筒本体１２の下端近傍部位は前記と同様に開口４１に差し込まれる時にその内周面に弾接される前記Ｏリング等のパッキンＯで止水するようにする。
また、トラップ本体１、封水筒２において槽部から目視される部分にはステンレス板８がインサート成形されている。
【００２９】
また、トラップ本体１は図２〜図６に示す連結部９で槽部底部に連結されるようになっている。
前記連結部９は、凸部１９と、ストッパーリング２９と、締付リング３９と、締付リング押上げ部４９とを備えている。
【００３０】
前記凸部１９は、トラップ本体１上端側の外周面同一円周上に等間隔をおいて突設形成されている。
【００３１】
前記ストッパーリング２９は、図４に示すようにトラップ本体１外周面に回転可能に遊嵌されており、前記凸部１９と対応して凸部通し孔２９ａを開孔すると共に、その凸部通し孔２９ａ孔縁下縁に連続して下面に階段状をもって下方向へ位置を変化する複数段の載承面２９ｂを時計周りまたは反時計回りに連続して段設形成している。
各段の載承面２９ｂの境界部は傾斜面２９ｂ’で形成されている。
また、前記ストッパーリング２９は、その上面に後述する回転体用の弯曲状接触面２９ｃを形成している。
【００３２】
前記締付リング３９は、掛止鍔１１とでパッキン１００を介してトラップ本体１をシンクに設けた排水凹部Ｂ底に締結する働きがあり、前記ストッパーリング２９上位のトラップ本体１外周面部分に遊嵌されており、締付リング押上げ部４９を具備している。
【００３３】
前記締付リング押上げ部４９は、丁度前記凸部１９間隔をおいて締付リング３９に設けられており、丁度凸部上方位置に軸受４９ａに横軸４９ｂを横設し、該横軸４９ｂに対して周面を前記ストッパーリング２９の弯曲状接触面２９ｃに接触させる回転体４９ｃを偏心させて垂直回転可能に軸着し、その回転体４９ｃに上下回動可能な操作レバー４９ｄを一体的に備えている。
【００３４】
この実施の形態の複数段の載承面２９ｂは、ストッパーリング２９の厚みを０．５ｍｍ宛厚みを下方形に増すことによって形成されている。
【００３５】
従って、この連結部９は、下方から凸部通し孔２９ａを通してストッパーリング２９を凸部１９の上方に配置し、時計回りに回転させて、所要の載承面２９ｂを凸部１９上面に載置し、前記弯曲状接触面２９ｃの高さ位置を変化させる。
即ち、ストッパーリング２９の上面である弯曲状接触面２９ｃとの締付リング３９との間を所要の離間距離に調整する。
そして、操作レバー４９ｄを下向きに回動させることによってその偏心量分、締付リング３９を持ち上げて、掛止鍔１１とでパッキン１００を所定の圧力で弾圧してトラップ本体１を排水凹部Ｂの底部に水密状に連結することができる。
前記排水凹部Ｂ底部厚の変化や、パッキン１００のへたりによる増し締めも、凸部１９上面に載置されるストッパーリング２９の載承面２９ｂの選定で対応することができる。
【００３６】
以上のように構成されているシンクは、流入口部２２ａから排水が流水空間Ｓへと流入し、トラップ本体１内で封水筒本体１２回りを、トラップ本体１内を浄化しながら１８０度方向変換して排水案内筒部４下端の窓口４ｃから排水案内筒部４内を上昇して封水筒本体１２上端域に開口されている排水口５から封水筒本体１２内、槽部下排水管Ｐへと排出される。
従って、管トラップと同様な自浄作用を発揮し、トラップ本体１内に水垢等、ゴミが付着し難くする。
また、清掃時にはシンク内部から封水筒２を引抜いて洗浄できるし、残置されるトラップ本体１内には清掃の邪魔になるものは存在さず、スポンジや簡易な洗浄用具で隅々まで容易に洗浄することができる。
そして、屋内配管を高圧洗浄するための高圧洗浄ノズル１０（屋内配管用清掃具）は、蓋開閉式の通路３を開放することによって封水筒本体１２内を通って真下の槽部下排水管Ｐから屋内配管に導かれる。
【図面の簡単な説明】
【００３７】
【図１】本実施の形態のトラップの斜視図で断面して示す。
【図２】トラップの平面図で、槽部底部への連結部を共に示す。
【図３】図２の正面断面図。
【図４】要部であるストッパーリングの断面図で部分的に示す。
【図５】開閉可能な通路を開放して高圧洗浄ノズル（屋内配管用清掃具）を挿し入れる状態を示す正面断面図で、排水案内筒部の両側壁部分から断面し、連結部は概略的に示す。
【図６】封水筒をトラップ本体から抜き取った状態を示す正面断面図、排水案内筒部の両側壁部分から断面し、連結部は概略的に示す。
【符号の説明】
【００３８】
１：トラップ本体            ２：封水筒
１２：封水筒本体              Ｓ：流水空間
２２ａ：流入口部            ２２ｂ：盲蓋部
２２：蓋板部                  ４：排水案内筒部
５：排水口                １０：屋内配管用清掃具
３：通路                  １３：蓋
７：表示                    ９：連結部
１００：パッキン                Ｐ：槽部下排水管
１１：掛止鍔                １９：凸部
２９ａ：凸部通し孔            ２９：ストッパーリング
２９ｂ：載承面                ３９：締付リング
４９：締付リング押上げ部  ４９ａ：軸受
４９ｂ：横軸                ４９ｃ：回転体
４９ｄ：操作レバー
【図１】
2006307543.tif 000003
【図２】
2006307543.tif 000004
【図３】
2006307543.tif 000005
【図４】
2006307543.tif 000006
【図５】
2006307543.tif 000007
【図６】
2006307543.tif 000008